(57)【特許請求の範囲】
【請求項１】
利用者の生体情報を取得する生体情報取得装置と、
前記利用者に対応づけて、前記利用者の前記生体情報と、第１識別情報とを対応づけて管理する管理サーバと、
第２識別情報に基づいて接続可能な中継装置を介して前記管理サーバと通信を行う入力部材と、
を含む生体情報管理システムであって、
前記入力部材は、
前記生体情報取得装置と近距離無線通信を行い、前記生体情報を受信する第１通信部と、前記第２識別情報を利用して前記中継装置に接続し、当該中継装置を介して前記生体情報を含む生体関連情報と、前記第２識別情報とを前記管理サーバに送信する第２通信部と、
を備え、
前記管理サーバは、
前記入力部材から、前記生体関連情報と、前記第２識別情報とを受信する受信部と、
受信された前記第２識別情報と、前記第１識別情報とが一致した場合には、前記生体関連情報に含まれる前記生体情報を前記利用者に対応づけて記憶する記憶部と、
を備え、
前記第１通信部は、前記生体情報取得装置と近距離無線通信が確立したのち、前記入力部材が前記中継装置と前記近距離無線通信とは異なる通信を確立したとき、前記生体情報を受信し、前記生体情報取得装置と近距離無線通信が確立したのちであっても、前記入力部材が前記中継装置と前記近距離無線通信とは異なる通信を確立しないとき、前記生体情報を受信しないことを特徴とする生体情報管理システム。
【請求項２】
前記入力部材は、
前記生体情報取得装置から前記生体情報を正常に読み取ったか否かを表示する第１表示部と、
前記管理サーバが前記生体情報を正常に保存したことを表示する第２表示部と、
をさらに備えることを特徴とする請求項１記載の生体情報管理システム。
【請求項３】
前記受信部は、前記入力部材から、複数の前記生体関連情報と、複数の前記第２識別情報とを受信し、
前記管理サーバは、前記記憶部に、複数の前記第２識別情報のうち、複数の前記第１識別情報と一致した利用者の前記生体情報を前記利用者に対応づけて記憶することを特徴とする請求項１または請求項２記載の生体情報管理システム。
【請求項４】
前記生体情報管理システムには、治療装置が更に含まれており、
前記入力部材において、
前記第１通信部は、前記治療装置と近距離無線通信を行い、治療情報を受信し、
前記第２通信部は、更に前記治療情報を前記管理サーバに送信する、
ことを特徴とする請求項１乃至請求項３いずれか１項に記載の生体情報管理システム。
【請求項５】
利用者を識別する第１識別情報と、生体情報取得装置から取得された利用者の生体情報とを対応づけて管理する管理サーバと、中継装置を介して前記管理サーバに接続可能な入力部材とを含む生体情報管理システムであって、
前記入力部材は、
第２識別情報を読み取る識別情報読取部と、
前記生体情報取得装置と近距離無線通信を行い、前記生体情報を受信する生体情報受信部と、
読み取られた前記第２識別情報と、前記生体情報を含む生体関連情報とを前記中継装置に送信する入力部材送信部と、
を備え、
前記中継装置は、
前記管理サーバから、前記第１識別情報を受信する第１中継装置受信部と、
前記入力部材から、前記第２識別情報と、前記生体関連情報とを受信する第２中継装置受信部と、
前記第１識別情報と、前記第２識別情報とが一致した場合には、前記生体関連情報を前記管理サーバに送信する中継装置送信部と、
を備え、
前記管理サーバは、
前記中継装置から、前記生体関連情報を受信すると、前記第１識別情報に対応づけて、当該生体関連情報を記憶する記憶部、
を備え、
前記生体情報受信部は、前記生体情報取得装置と近距離無線通信が確立したのち、前記入力部材が前記中継装置と前記近距離無線通信とは異なる通信を確立したとき、前記生体情報を受信し、前記生体情報取得装置と近距離無線通信が確立したのちであっても、前記入力部材が前記中継装置と前記近距離無線通信とは異なる通信を確立しないとき、前記生体情報を受信しないことを特徴とする生体情報管理システム。
【請求項６】
前記入力部材は、
前記生体情報取得装置から前記生体情報を正常に読み取ったか否かを表示する第１表示部と、
前記管理サーバが前記生体情報を正常に保存したことを表示する第２表示部と、
をさらに備えることを特徴とする請求項５記載の生体情報管理システム。
【請求項７】
前記第２中継装置受信部は、前記入力部材から、複数の前記生体関連情報と、複数の前記第２識別情報とを受信し、
前記中継装置送信部は、複数の前記第２識別情報のうち、複数の前記第１識別情報と一致した利用者の前記生体情報を前記利用者に対応づけて前記管理サーバに送信することを特徴とする請求項５または請求項６に記載の生体情報管理システム。
【請求項８】
前記管理サーバは、前記第１識別情報と併せて部屋番号を管理しており、
前記中継装置は、
前記中継装置が設置されている部屋番号を記憶しており、
前記中継装置送信部は、前記生体関連情報と共に前記部屋番号を前記管理サーバに送信することを特徴とする請求項７に記載の生体情報管理システム。
【請求項９】
前記中継装置は、利用者の部屋のベッドを設置する場所付近の壁に設置されることを特徴とする請求項８記載の生体情報管理システム。
【請求項１０】
利用者の生体情報を取得する生体情報取得装置と、前記利用者に対応付けて、前記利用者の前記生体情報を管理する管理サーバとに接続可能な入力部材であって、
制御部と、
前記生体情報取得装置と、近距離無線通信を介して通信を行う第１通信部と、
前記管理サーバと、ローカルエリアネットワークを介して通信を行う第２通信部と、
を備え、
前記第１通信部は、前記生体情報取得装置と近距離無線通信を確立し、
前記制御部は、
前記第２通信部がローカルエリアネットワークに接続している場合、前記第１通信部を介して前記生体情報取得装置から生体情報を受信し、当該生体情報を前記第２通信部を介して前記管理サーバに送信し、
前記第２通信部がローカルエリアネットワークに接続していない場合は、前記生体情報取得装置から生体情報を受信しない
ことを特徴とする入力部材。
【発明の詳細な説明】
【技術分野】
【０００１】
本発明は、病院及び介護施設等（以下、病院等という）において、患者及び被介護者等（以下、患者等という）の体温、血圧等の生体情報データを入力する医療・介護におけるデータ入力装置・入力部材等に関する。
【背景技術】
【０００２】
病院等において、患者等の体温、血圧及び心拍数等の生体情報データを、検知し、取得して、それを、カルテに記録する作業が行われている。この場合に、カルテは、電子化され、電子カルテは、病院等に設置されたサーバの記憶装置に格納されており、カルテ情報を、医師及び看護師等が利用しやすくなっている。そこで、生体情報データを、取得した後、この生体情報データを電子データとして、前記病院サーバに転送し、病院サーバの記憶蔵置にそのまま、格納できるようにすると、人為的なデータ入力作業が不要となり、更に、便利である。このような観点から、取得した生体情報を送信する生体情報測定機器と、生体情報機器からの通信データを中継する中継サーバと、患者を特定するための患者ＩＤ（識別番号）と上記患者の生体情報とを対応付けて電子カルテ情報として記録する病院情報サーバとを備えた生体情報測定システムが提案されている（特許文献１）。この生体情報測定システムにおいては、前記生体情報測定機器は、生体情報を通信データとして中継サーバへ送信すると共に、入床情報を入力するための入床情報入力部と、前記患者ＩＤを取り込んで認証する患者ＩＤ認証部と、医療従事者を特定するための医療従事者ＩＤを取り込んで認証する医療従事者ＩＤ認証部と、中継サーバへの入床情報の送信を制御する送信制御部とを有している。
【先行技術文献】
【特許文献】
【０００３】
【特許文献１】特開２０１３−１３７６７９号公報
【発明の概要】
【発明が解決しようとする課題】
【０００４】
しかしながら、上記特許文献１に開示された生体情報測定システムは、生体情報測定機器が、体温等の生体情報を病院サーバに送信する装置であり、据え置きの大型の装置である。そして、このような据え置き型の大型な装置が、各病室毎に必要であり、病室が広い場合には、各患者毎に設置する必要がある。このため、各病室内で、この装置が看護師又は医師の動線を阻害する場合がある。また、診療又は介護の作業にとって、この装置が邪魔になることがある。なお、このような装置を複数の病室で共有する場合は、装置が大型であるために、持ち運び作業が煩雑である。更に、この装置は、患者ＩＤ認証部及び医療従事者ＩＤ認証部と、更に、入床情報を入力するための入力部と制御部とを備えるものであるから、高価であるという難点がある。
【０００５】
本発明はかかる問題点に鑑みてなされたものであって、簡易な方法で情報を読み出し、サーバに送信することが可能な入力部材等を提供することを目的とする。
【課題を解決するための手段】
【０００６】
上述した課題を解決するために、本発明の入力部材は、
利用者に対応づけて、生体情報装置から取得された利用者の生体情報と、第１識別情報とを対応づけて管理する管理サーバに接続可能な入力部材であって、
前記生体情報取得装置と近距離無線通信を行い、生体情報を受信する第１通信部と、
第２識別情報を利用して中継装置に接続し、中継装置を介して管理サーバと通信を行う第２通信部と、
を備え、
前記第２通信部は、前記生体情報を含む生体関連情報を前記管理サーバに送信することを特徴とする。
【０００７】
本発明の生体情報管理システムは、
利用者の生体情報を取得する生体情報取得装置と、
利用者に対応づけて、利用者の生体情報と、第１識別情報とを対応づけて管理する管理サーバと、
第２識別情報に基づいて接続可能な中継装置を介して管理サーバと通信を行う入力部材と、
を含む生体情報管理システムであって、
前記入力部材は、
前記生体情報取得装置と近距離無線通信を行い、前記生体情報を受信する第１通信部と、
第２識別情報を利用して中継装置に接続し、当該中継装置を介して前記生体情報を含む生体関連情報と、前記第２識別情報とを前記管理サーバに送信する第２通信部と、
を備え、
前記管理サーバは、
前記入力部材から、前記生体関連情報と、前記第２識別情報とを受信する受信部と、
前記受信された第２識別情報と、前記第１識別情報とが一致した場合には、前記生体関連情報に含まれる生体情報を前記利用者に対応づけて記憶する記憶部と、
を備えることを特徴とする。
【０００８】
本発明の医療・介護におけるデータ入力装置は、
患者又は被介護者の生体情報データを記憶部に保存するサーバが設置された病院又は介護施設における前記生体情報データの入力装置において、
生体情報検知装置との間で近距離通信を行って生体情報データを受信する近距離通信部、及び、データを無線送信する第１無線通信部を備えた携帯型の入力部材と、
前記入力部材の前記第１無線通信部との間で無線通信を行ってデータを受信し、入力されたデータを、有線接続された前記サーバの記憶部に保存させる第２無線通信部と、
を有することを特徴とする。
【０００９】
本発明の医療・介護におけるデータ入力装置は、
患者又は被介護者の生体情報データを記憶部に保存するサーバが設置された病院又は介護施設における前記生体情報データの入力装置において、
患者又は被介護者が居住する居室に設置されたユニット内に設けられ、生体情報検知装置に有線又は無線により接続されて、生体情報データが入力される入力部材と、
前記ユニット内に設けられ、前記入力部材から生体情報データが入力されると共に、前記サーバに有線又は無線で接続されて、前記生体情報データを前記サーバに送信する送受信部と、
前記ユニット内に設けられ、前記ユニットの外部との間でデータを無線送受信すると共に、前記送受信部を介して前記サーバからデータを取得する第５無線通信部と、
前記第５無線通信部との間でデータを無線送受信して、前記サーバに格納されている情報を取得する携帯情報端末と、
を有することを特徴とする。
【００１０】
本発明に係るデータ入力装置の使用方法は、
前記上述したデータ入力装置を使用し、患者又は被介護者のＩＤ情報と、前記生体情報検知装置の生体情報データとを、前記近距離通信部により読み取り、前記ＩＤ情報データと前記生体情報データを、前記第１無線通信部により前記第２無線通信部に送信し、前記第２無線通信部から前記サーバに送信して、前記ＩＤ情報データと前記生体情報データとを前記サーバに格納することを特徴とする。
【発明の効果】
【００１１】
本発明によれば、看護師又は介護士が入力部材を携帯し、これを体温計及び血圧計等の生体情報検知器にかざすだけで、患者の生体情報をサーバに格納することができるので、高額且つ大型の生体情報測定機器を患者毎に、患者のベッドサイドに設置する必要はなく、低コストでデータ入力が可能になると共に、看護師又は介護士の動線を邪魔することもないという効果を奏する。
【００１２】
また、本発明によれば、生体情報取得装置と近距離無線通信を行い、利用者の生体情報を受信し、第２識別情報を利用して中継装置に接続し、中継装置を介して生体情報を含む生体関連情報を管理サーバに送信することとなる。これにより、例えば近距離無線通信としてＮＦＣを用いて生体情報を受信し、受信された生体情報を例えば無線ＬＡＮを経由して管理サーバに送信することができる。
【図面の簡単な説明】
【００１３】
【図１】第１実施形態の医療・介護におけるデータ入力装置を示すブロック図である。
【図２】第１実施形態（第１実施例）における入力部材の外観を示す模式図である。
【図３】第１実施形態の第２実施例及び第３実施例を示すブロック図である。
【図４】第１実施形態の第４実施例を示すブロック図である。
【図５】第２実施形態のシステム全体を説明するための図である。
【図６】第２実施形態におけるＳＳＩＤと部屋番号との関係を説明するための図である。
【図７】第２実施形態における各装置の機能構成を説明するための図である。
【図８】第２実施形態におけるシステム全体の流れを説明するための図である。
【図９】第２実施形態における入力部材の処理を説明するための図である。
【図１０】第２実施形態における入力部材の処理を説明するための図である。
【図１１】第２実施形態における入力部材の外観例を説明するための図である。
【図１２】第４実施形態におけるシステム全体を説明するための図である。
【発明を実施するための形態】
【００１４】
以下、本発明の実施形態について、添付の図面を参照して説明する。
［１．第１実施形態］
［１．１  第１実施例］
図１は、第１実施形態（第１実施例）に係る医療・介護におけるデータ入力装置を示すブロック図、図２は、入力部材１の外観を示す模式図である。入力部材１は、ＮＦＣ（Near Field Communication：近距離通信）機能を有する近距離通信部２を有し、近距離通信機能を備えた読取装置である。患者の生体情報の検知装置、例えば、体温計及び血圧計等の生体情報検知装置も、ＮＦＣ機能を有する。また、ＮＦＣ機能をもつカード等に、患者のＩＤ（識別情報）を記憶させて、患者にそのカード等を携帯させている。
【００１５】
そして、この入力部材１も、図２に示すようなカード状をなし、その筐体１０は直方体状をなし、筐体１０の前面に、読取完了表示部１１と、保存完了表示部１２が設置されている。この入力部材１を、生体情報検知装置及びＩＤカードにかざすことにより、近距離通信部２により、患者のＩＤ及び生体情報データが入力部材１に読み取られる。読取完了表示部１１は、入力データが正常に入力部材１に読み取られたことを、点灯又は点滅等により表示する機能を有する。また、保存完了表示部１２は、後述するようにして、入力部材１から病院サーバ５に送信されたデータが、病院サーバ５の記憶部に正常に保存されたことを、点灯又は点滅等により表示する機能を有する。例えば、データ読取及びデータ保存が正常に終了したときに、読取完了表示部１１及び保存完了表示部１２が点灯し、正常に終了しなかったときに、点滅するようにすることができる。このようにして、データの読取の状況は、読取完了表示部１１及び保存完了表示部１２の点灯又は点滅灯により認識することができる。入力部材１は、無線通信部３を有しており、Ｗｉ-Ｆｉ(登録商標)、無線ＬＡＮ、Bluetooth（登録商標）等の無線通信により、無線通信部３は入力部材１が読み取った患者ＩＤ及び生体情報データを、入力部材１を携帯している入力部材１の所持者のＩＤ（識別情報）と共に、発信する。
【００１６】
病院サーバ５には、無線通信部４及び端末装置６が接続されている。そして、無線通信部３と無線通信部４とで、無線通信を行い、入力部材１に入力されたデータが、無線通信部３から無線通信部４を介して、病院サーバ５に入力されるようになっている。端末装置６は、各種の入力装置（キーボード等）及び出力装置（プリンタ等）である。病院サーバ５には、制御部及びメモリ等の記憶部が設けられており、入力部材１から入力された生体情報データが、患者ＩＤ及び入力部材１の所持者のＩＤと共に、記憶部に格納される。
【００１７】
なお、無線通信部３，４は、病院の各病室と、病院サーバ５の設置場所とを無線で接続するものであるから、無線通信部３，４の無線方式としては、その通信距離を勘案して、通常、Ｗｉ−Ｆｉ（又は無線ＬＡＮ）が使用される。また、病院の廊下等に、無線通信の中継装置を設置してもよい。
【００１８】
次に、上述のごとく構成された医療・介護におけるデータ入力装置の動作について説明する。看護師又は介護士は、入力部材１を携帯し、各病室をまわって、患者の体温又は血圧等の生体検知措置に、入力部材１をかざし、近距離通信部２を介して、これらの患者の生体情報データを入力部材１に読み取ると共に、この患者のＩＤカードに入力部材１をかざして、患者のＩＤデータを入力部材１に読み取る。読取完了表示部１１の点灯により、これらのデータの読取完了を認識すると、手動のスイッチ操作又は自動で、これらのデータを、自己のＩＤ情報データと共に、無線通信部３を介して、無線通信部４に送信する。そして、これらのデータを、無線通信部４から病院サーバ５に送信して、そのメモリに記憶させる。このデータの保存の完了は、保存完了表示部１２の点灯により、認識することができる。
【００１９】
このように、本実施例においては、看護師又は介護士が、カード状の入力部材１を携帯し、体温計及び血圧計等の生体情報検知器にかざすだけで、患者の生体情報を病院サーバ５に格納することができる。よって、高額且つ大型の生体情報測定機器を患者毎に、患者のベッドサイドに設置する必要はなく、低コストでデータ入力が可能になると共に、看護師又は介護士の動線を邪魔することもない。このため、医療・介護分野での看護・介護業務における患者等に付随する生体情報のデータ管理を、簡易且つ迅速に、また正確に行うことができ、医療・介護の質を向上させることができる。
【００２０】
［１．２  第２実施例］
上記第１実施例においては、データ入力装置の入力部材として、入力部材１は第１無線通信部３を備えていて、この第１無線通信部３から、無線により、第２無線通信部４に送信し、これにより、病院サーバ５に、患者ＩＤ情報データ及び生体情報データを格納する。しかし、本発明はこの実施例に限らず、例えば、以下のように構成することもできる。図３（ａ）は、本発明の第２実施例を示す図である。この図３（ａ）に示すように、入力部材２２は、中継ユニットとしての壁ユニット２１との間でデータを無線で送信し、更に、壁ユニット２１は、その送受信部により、院内システムの病院サーバ２０との間でデータを有線又は無線で送受信する。入力部材２２は、入力部材１と同様に、患者が携帯するＩＤカードと、生体情報検知装置の生体情報とを、読み取るが、これらのデータを、無線通信部４を介して、病院サーバ５に送信するのではなく、壁ユニット２１に送信する。壁ユニット２１は、患者の病室等のベッドを設置する場所の壁等に設置され、部屋番号と患者のＩＤ情報のデータを格納している。壁ユニット２１と病院サーバ２０との間は、無線通信でデータを送受信しても良く、又は有線接続でデータを送受信しても良い。病院サーバ２０から患者ＩＤ情報が壁ユニット２１に送信され、壁ユニット２１から生体情報データが病院サーバ２０に送信される。なお、病院サーバ２０は、医事会計に必要なデータも格納している。
【００２１】
このように構成された第２実施例のデータ入力装置においては、入力部材２２が読み取った患者ＩＤ及び生体情報データは、壁ユニット２１に送信される。そして、病院サーバ２０から患者ＩＤ情報が壁ユニット２１に送信されると、壁ユニット２１は、入力部材２２から入力されている患者ＩＤ情報のうち、病院サーバ２０から入力された患者ＩＤ情報に一致するＩＤに紐付けられている生体情報データを病院サーバ２０に送信する。病院サーバ２０は、この生体情報データを患者ＩＤ情報に関連付けて記憶装置に格納する。また、壁ユニット２１は生体情報データと共に、部屋番号も病院サーバ２０に送信して、格納させることもできる。これにより、病院サーバ２０は、患者ＩＤと、部屋番号と、生体情報データとを関連付けて、メモリに記憶する。本実施例においては、入力部材２２が得た生体情報データを、壁ユニット２１を介して、病院サーバ２０に格納するので、大病院等のように、患者病室等と、院内システムを設置した場所との間の距離が大きい場合に、有益である。
【００２２】
［１．３  第３実施例］
次に、図３（ｂ）を参照して、本発明の第３実施例について説明する。本実施例においては、入力部材２４は、第３無線通信部を有しており、壁ユニット２３に設置した第４無線通信部との間で、データを送受信する。そして、本実施形態では、入力部材２４は、入力部材１と同様に、患者のＩＤ情報データと、生体情報検知装置の生体情報データを、近距離通信部で読み取り、壁ユニット２３から、第４無線通信部を介して、患者ＩＤ情報データを入力したときに、入力部材２４は、その患者ＩＤ情報データに対応する生体情報データを、第３無線通信部を介して、壁ユニット２３の第４無線通信部に送信する。壁ユニット２３は、壁ユニット２１と同様に、病院サーバ２０から入力した患者ＩＤ情報データと一致する患者ＩＤ情報データに関連する生体情報データを、送受信部を介して、病院サーバ２０に送信する。これにより、病院サーバ２０は、壁ユニット２３に送信した患者ＩＤ情報データに対応する生体情報データを、その患者ＩＤ情報データと関連付けて、メモリに格納する。
【００２３】
なお、近距離通信部の通信機能としては、ＮＦＣに限らず、ＲＦ（高周波通信）、赤外線通信、特定省電力無線通信、及び人体通信等の近距離通信手段を使用することができる。
【００２４】
［１．４  第４実施例］
次に、図４を参照して、本発明の第４実施例について説明する。本実施例においては、各病室の壁に、入力部材と、中継ユニット（第５無線通信部及び送受信部）との双方を含む壁ユニット３０を設置したものである。この壁ユニット３０内に、入力部材３１と、送受信部３２と、第５無線通信部３３とが収納されている。入力部材３１は、その病室に設置された生体情報検知装置１００に有線又は無線で接続されており、また、看護師又は介護士が患者又は被介護者の生体情報を入力するためのキーボード及びマウス等の入力機器３４が接続されている。一方、壁ユニット３０の送受信部３２は、病院サーバ５と有線又は無線で接続されている。なお、病院サーバ５には端末装置６が接続されている。そして、入力部材３１から入力された生体情報は、この送受信部３２に入力され、送受信部３２から、有線又は無線で病院サーバ５に送信される。また、看護師は、携帯情報端末３５を常時携行しており、この携帯情報端末３５と、壁ユニット３０の第５無線通信部３３とを、無線通信により、接続し、送受信部３２を介して、携帯情報端末３５を病院サーバ５に接続することができる。これにより、携帯情報端末３５を操作することにより、病院サーバ５から生体情報及び看護情報を携帯情報端末３５にダウンロードすることができるようになっている。
【００２５】
このように構成された本実施例のデータ入力装置においては、生体情報検知装置１００の検知データは、各病室の壁に設置された入力部材３１から送受信部３２を介して病院サーバ５に入力され、その記憶装置に格納される。その他の患者又は被介護者に関する情報は、看護師又は介護士が入力機器３４から手入力して、同様にして病院サーバ５に格納される。そして、看護師又は介護士が、患者又は被介護者に関する情報が必要になった場合には、各自携行している携帯情報端末３５を、壁ユニット３０の無線通信部３３に無線で接続し、携帯情報端末３５と病院サーバ５とを接続する。そして、携帯情報端末３５を操作して、病院サーバに格納されている患者又は被介護者の情報を携帯情報端末３５にダウンロードする。このようにして、看護師又は介護士が、必要に応じて、迅速に患者又は被介護者の生体情報又はその他の情報を取得することができる。
【００２６】
［２．第２実施形態］
つづいて、第２実施形態について説明する。第２実施形態は、第１実施形態の壁ユニットを、無線中継局を利用した場合について説明する。
【００２７】
［２．１  全体構成］
図５は、第２実施形態のシステム全体を説明するための図である。システム全体としては、ネットワークＮＷに、患者・被介助者である利用者を管理する管理サーバ４０００と、無線中継局３０００とが接続されている。ここで、入力部材１０００は、無線中継局３０００を介してネットワークＮＷに接続可能である。
【００２８】
この無線中継局３０００は、例えば部屋ごとに設けられている。無線中継局としては種々の装置が考えられるが、例えば本実施形態においては、ＩＥＥＥ８０２．１１ａ／ｂ／ｇ／ｎ等の規格において用いられる無線ＬＡＮのアクセスポイントの構成とする。そして、この無線中継局３０００の識別情報としては、ＳＳＩＤ（Service Set Identifier）を用いており、ＳＳＩＤを利用して入力部材１０００や、他の端末装置（非図示）は無線中継局３０００に接続可能となる。
【００２９】
管理サーバ４０００は、患者・被介助者である利用者に関する情報を管理するサーバである。例えば、利用者毎の生体情報、治療情報を含む電子カルテデータや、診療報酬といった利用者に関する情報を少なくとも管理している。
【００３０】
また、管理サーバ４０００では、当該無線中継局のＳＳＩＤと、部屋番号とを対応づけて記憶している。例えば、図６に示すように、ＳＳＩＤ（例えば、「hsp501」）と、部屋番号（例えば、「501」）とが対応づけて記憶されている。また、この部屋に存在する装置、例えば生体情報取得装置２０００の取得装置ＩＤも対応づけて記憶されている。
【００３１】
例えば、図５に示すように、無線中継局３０００Ａが設けられている部屋には、生体情報取得装置２０００Ａが設置されている。また、無線中継局３０００Ｂが設けられている部屋には、生体情報取得装置２０００Ｂが設置されている。
【００３２】
これにより、入力部材１０００が、無線ＬＡＮのエリアに在圏したことにより、当該入力部材１０００が接続されている無線中継局３０００のＳＳＩＤを利用することで、部屋番号を特定することが可能となる。なお、本実施形態では、ＳＳＩＤと部屋番号とが対応している場合について説明するが、単にＳＳＩＤだけを管理することとしても良い。
【００３３】
なお、本実施形態においては病院等の医療施設の患者を例にとって説明しているが、他の施設、例えば介護施設等に入居している者といった利用者に適用可能である。すなわち、図５のような構成であれば、特に利用者が限定されるものではない。
【００３４】
［２．２  機能構成］
ここで、各装置の機能構成について、図７を利用して説明する。図７（ａ）は、入力部材１０００の機能構成である。入力部材１０００は、制御部１１００と、近距離無線通信部１２００と、無線通信部１３００とを有している。
【００３５】
制御部１１００は、入力部材１０００の全体を制御するための機能部である。制御部１１００は、例えばＣＰＵ（Central Processing Unit）等により構成されている。
【００３６】
近距離無線通信部１２００は、他の近距離無線通信部を備えた装置（例えば生体情報取得装置）等と通信を行う為の機能部である。例えば、ＮＦＣ、Ｂｌｕｅｔｏｏｔｈ（登録商標）、ＺｉｇＢｅｅ（登録商標）、ワイヤレスＵＳＢ、赤外線等を利用して通信を行う。
【００３７】
無線通信部１３００は、ネットワークに接続し、管理サーバ４０００と通信をする機能部である。本実施形態の場合、無線中継局３０００に接続し、無線中継局３０００を経由してネットワークＮＷに接続される。ここで、通信方式としては、例えばＩＥＥＥ８０２．１１ａ／ｂ／ｇ／ｎ等の無線ＬＡＮ等を利用して接続される。なお、ＩＥＥＥ８０２．１５（Ｂｌｕｅｔｏｏｔｈ）等を利用して接続されても良い。
【００３８】
また、図７（ｂ）は、生体情報取得装置２０００の機能構成であり、制御部２１００と、生体情報取得部２２００と、記憶部２３００と、近距離無線通信部２４００とを備えて構成されている。
【００３９】
制御部２１００は、生体情報取得装置２０００の全体を制御するための機能部である。制御部２１００は、例えばＣＰＵ（Central Processing Unit）等により構成されている。
【００４０】
生体情報取得部２２００は、患者・被介助者といった利用者の生体情報を取得・検出するための機能部である。生体情報としては、患者の体温、体重、血圧、血糖値等といった取得される情報であったり、睡眠時間や、離床時間といった測定される情報であったりしてもよい。また、心拍数や、患者から取得される複数の情報に基づいて算出される情報であってもよい。また、医師や、介護スタッフによって入力される情報であっても良く、上述した体温は手入力の値であってもよい。また、入力される情報は、上述した以外にも投薬に関する情報等であってもよい。
【００４１】
記憶部２３００は、生体情報取得装置２０００の動作に必要な各種プログラムや、各種データが記憶されている機能部である。記憶部２３００は、例えば、半導体メモリや、ＨＤＤ（Hard Disk Drive）等により構成されている。また、本実施形態においては、生体情報取得部２２００により取得された生体情報が記憶されている。
【００４２】
当該情報は、現在測定されている情報が記憶されても良いし、過去の履歴が記憶されていても良い。
【００４３】
近距離無線通信部２４００は、入力部材１０００と近距離無線通信を行う為の機能部である。上述した近距離無線通信部１２００と通信可能に構成されていればよい。
【００４４】
また、図７（ｃ）は、無線中継局３０００の機能構成であり、制御部３１００と、通信部３２００と、無線通信部３３００と、記憶部３４００とを備えて構成されている。
【００４５】
制御部３１００は、無線中継局３０００の全体を制御するための機能部である。制御部３１００は、例えばＣＰＵ（Central Processing Unit）等により構成されている。
【００４６】
通信部３２００は、施設内のネットワークＮＷに接続し、通信を行う為の機能部である。例えば、有線／無線ＬＡＮを介して管理サーバ４０００と通信を行う。
【００４７】
無線通信部３３００は、無線機能を有する端末装置、通信機器が接続することができる機能部である。接続される通信装置は、無線通信部３３００のＳＳＩＤを利用して接続される。
【００４８】
記憶部３４００は、無線中継局３０００の動作に必要な各種プログラムや、各種データが記憶されている機能部である。記憶部３４００は、例えば、半導体メモリや、ＨＤＤ（Hard Disk Drive）等により構成されている。また、本実施形態においては、無線中継局３０００が動作するための必要な情報（例えば、ＳＳＩＤ、ＷＥＰキー、ゲートウェイアドレス、装置アドレス等）が記憶されている。
【００４９】
また、図７（ｄ）は、管理サーバ４０００の機能構成であり、制御部４１００と、通信部４２００と、生体情報管理部４３００と、記憶部４４００とを備えて構成されている。
【００５０】
制御部４１００は、管理サーバ４０００の全体を制御するための機能部である。制御部４１００は、例えばＣＰＵ（Central Processing Unit）等により構成されている。
【００５１】
通信部４２００は、施設内のネットワークＮＷに接続し、通信を行う為の機能部である。例えば、有線ＬＡＮを介して入力部材１０００や、他の端末装置と通信を行うことが可能である。
【００５２】
生体情報管理部４３００は、受信された生体情報を管理するための機能部である。例えば、患者毎に生体情報を記憶して管理している。ここで、生体情報を管理する方法としては、例えば患者と、部屋番号とに対応づけて生体情報を管理する。また、生体情報取得装置２０００の、端末装置ＩＤから、患者を特定し、管理しても良い。
【００５３】
記憶部４４００は、管理サーバ４０００の動作に必要な各種プログラムや、各種データが記憶されている機能部である。記憶部４４００は、例えば、半導体メモリや、ＨＤＤ（Hard Disk Drive）等により構成されている。
【００５４】
［２．３  処理の流れ］
［２．３．１  システムの処理の流れ］
本実施形態における、入力部材１０００を含めたシステムの処理の流れについて、図８を用いて説明する。まず、入力部材１０００が、無線中継局３０００の無線エリアの圏内に入ると、入力部材１０００と、無線中継局３０００との通信路が確立される（Ｓ１００２）。ここで、通信路が確立される、すなわち、入力部材１０００が、無線ＬＡＮを介して無線中継局３０００に接続されることにより、管理サーバ４０００と通信が可能となる。
【００５５】
次に、入力部材１０００と、生体情報取得装置２０００との通信路が確立されると（Ｓ１００４）、生体情報要求が生体情報取得装置２０００に送信される（Ｓ１００６）。例えば、近距離無線通信として、ＮＦＣが利用された場合、利用者が入力部材１０００の近距離無線通信部１２００を、生体情報取得装置２０００の近距離無線通信部２４００にタッチすることで、通信路が確立される。
【００５６】
そして、通信路が確立されている状態で、入力部材１０００から生体情報要求が送信され（Ｓ１００６）、生体情報取得装置２０００から生体情報応答が送信される（Ｓ１００８）。この、生体情報応答には、生体情報取得装置２０００で取得された生体情報が少なくとも含まれており、それ以外にも、生体情報取得装置２０００を利用している患者識別情報や、生体情報取得装置２０００の装置識別情報が含まれていても良い。
【００５７】
つづいて、入力部材１０００から、生体情報が生体関連情報として無線中継局３０００に送信される（Ｓ１０１０）。ここで、生体関連情報の他に、無線中継局３０００のＳＳＩＤも含まれて送信される。
【００５８】
ここで、生体関連情報には、少なくとも生体情報応答で含まれていた生体情報が含まれている。また、併せて、生体情報取得装置２０００から取得された患者識別情報、生体情報取得装置２０００の装置識別情報、入力部材１０００で入力・記憶されている患者識別情報といった、生体情報を特定するための情報が含まれていても良い。
【００５９】
送信された、生体関連情報及びＳＳＩＤは、管理サーバ４０００に送信される（Ｓ１０１２）。管理サーバ４０００は、ＳＳＩＤから、患者の部屋番号を特定することが可能となる。
【００６０】
このとき、管理サーバ４０００は、ＳＳＩＤを使って認証を行っても良い。例えば、現在生体情報が送信された患者に対応するＳＳＩＤと、Ｓ１０１２で送信されたＳＳＩＤが一致していれば、生体情報を記憶・管理する（Ｓ１０１４；Ｙｅｓ→Ｓ１０１６）。ここで、ＳＳＩＤが一致していなければ、生体情報は記憶されず、エラー処理が行われる。
【００６１】
具体的には種々の方法が考えられるが、例えば部屋番号に対応するＳＳＩＤを記憶しておく。そして、患者がいる部屋番号のＳＳＩＤを読み出し、送信されたＳＳＩＤと一致するか否かを判定する。また、逆に管理サーバ４０００に記憶されているテーブルを参照し、ＳＳＩＤから部屋番号を求め、患者がいる部屋番号と一致するかを判定してもよい。
【００６２】
このように、入力部材１０００と生体情報取得装置２０００との通信を確立することにより、その後自動的に生体情報が管理サーバ４０００に送信されることとなる。管理サーバは、受信した生体情報を、適切に管理することが可能となる。すなわち、患者識別情報や、装置識別情報により、適切な患者カルテ（患者情報）に、生体情報が記憶されることとなる。また、ＳＳＩＤを併せて利用することにより、対応した部屋番号と連携して管理することが可能となる。したがって、利用者は通信や管理をあまり意識せず、各装置から生体情報を管理サーバ４０００に送信することが可能となる。
【００６３】
また、ＳＳＩＤが送信され、部屋番号が併せて特定することができることから、例えばスタッフが生体情報取得装置２０００を他の部屋に移動した場合には、誤ってデータが記録されるといったことを防ぐことが可能となる。すなわち、仮に従前の患者の設定が残っていたとしても、部屋番号が一致しないことにより、他人の生体情報が患者カルテに記憶されるといったことを防ぐことが出来る。
【００６４】
また、中継装置である無線中継局３０００は、部屋ごとでなくても良い。例えばベッド装置毎に設けても良いし、ベッド装置近傍の壁に中継装置を設けても良い。また、ベッド装置に無線中継局の機能を持たせても良い。部屋ごとに配置するより細かく配置することにより、更に細かい位置を特定することができる。
【００６５】
例えば、ベッド装置の枕元にＢｌｕｅｔｏｏｔｈ（登録商標）の受信ユニットを設け、Ｂｌｕｅｔｏｏｔｈの識別情報（例えば、ＢＤアドレス）を患者情報と対応づけて管理サーバ４０００で管理している。この場合、入力部材１０００が、管理されているのと異なるＢＤアドレスから通信してきた場合には、エラーとし、記録しないといった処理を行うことも可能となる。
【００６６】
［２．３．２  入力部材の処理］
つづいて、入力部材１０００の処理について図９を用いて説明する。なお、図９は、病院や施設において送信される生体情報は、患者の個人情報である。したがって、送信する方法に制限をかけることにより、簡易な方法でセキュリティを向上させることも可能となる。
【００６７】
図９の場合、入力部材１０００が近距離無線通信を検出した場合（ステップ１０２；Ｙｅｓ）、近距離無線通信が確立される（ステップＳ１０４）。
【００６８】
ここで、近距離無線通信が確立された後、入力部材１０００が無線ＬＡＮに接続されているかを判定する（ステップＳ１０６）。もし、無線ＬＡＮに接続されていない場合には（ステップＳ１０６；Ｎｏ）、無線ＬＡＮの接続処理を実行する（ステップＳ１０８）。
【００６９】
ここで、無線ＬＡＮに接続できない場合には（ステップＳ１１０；Ｎｏ）、接続エラー処理を実行して、本処理を終了する（ステップＳ１１６）。
【００７０】
他方、無線ＬＡＮに接続されている場合（ステップＳ１０６；Ｙｅｓ）又は無線ＬＡＮに接続した場合（ステップＳ１１０；Ｙｅｓ）には、生体情報を受信する（ステップＳ１１２）。生体情報を受信した場合には、受信した生体情報を管理サーバ４０００に送信する（ステップＳ１１４；Ｙｅｓ→ステップＳ１１８）。
【００７１】
このように、図９の処理によれば、利用者は近距離無線通信を利用して、生体情報取得装置２０００から生体情報を読み出し、管理サーバ４０００に気軽に送信することが可能となる。
【００７２】
このとき、無線ＬＡＮに接続出来ない場合には、生体情報は読み出されないこととなる。すなわち、無線ＬＡＮによる認証を行うことにより、第三者によって勝手に生体情報を読み出すといったことを防ぐことが可能となる。
【００７３】
また、図９のフローでは、無線ＬＡＮが接続されている場合に生体情報を送信することとして説明したが、先に生体情報を受信し、無線ＬＡＮが接続された場合に送信することとしても良い。
【００７４】
この場合の動作フローについて、図１０に基づいて説明する。まず、入力部材１０００が近距離無線通信を検出した場合（ステップ２０２；Ｙｅｓ）、近距離無線通信が確立される（ステップＳ２０４）。
【００７５】
次に、入力部材１０００は、近距離無線通信により接続された生体情報取得装置２０００から生体情報を受信する（ステップＳ２０６）。生体情報の受信が完了した場合に、無線ＬＡＮに接続されているか否かを確認する（ステップＳ２０８；Ｙｅｓ→ステップＳ２１０）。
【００７６】
ここで、無線ＬＡＮに接続されていない場合には、無線ＬＡＮの接続処理を実行する（ステップＳ２１２）。ここで、無線ＬＡＮに接続できた場合（ステップＳ２１４；Ｙｅｓ）又は既に無線ＬＡＮに接続している場合（ステップＳ２１０；Ｙｅｓ）には、管理サーバ４０００に生体情報を取得する（ステップＳ２１６）。
【００７７】
他方無線ＬＡＮに接続できない場合には、エラー処理を行って処理を終了する（ステップ２１４；Ｎｏ→ステップＳ２１８）。ここで、無線ＬＡＮに接続できない場合の処理としては、例えば、ステップＳ２１４において、所定回数接続を行い、所定回数又は所定時間接続できない場合にエラー処理に遷移することとしても良い。
【００７８】
また、エラー処理（ステップＳ２１８）において、一度受信した生体情報を消去することとしても良い。また、エラー処理において、入力部材１０００にエラー表示や報知を行っても良い。
【００７９】
また、エラー処理を行わず、無線ＬＡＮが接続されたときに生体情報が管理サーバ４０００に送信されることとしても良い。また、この場合であっても、所定時間経過しても無線ＬＡＮに接続されない場合には、一度生体情報を消去することとしても良い。
【００８０】
また、入力部材１０００には、無線ＬＡＮの情報（例えば、ＳＳＩＤ、ＷＥＰキー等）を登録しておくだけで、認証を行うことが可能となる。例えば、利用者ＩＤ／パスワードを登録するといったことを行わずに済み、使い勝手を向上させることが可能となる。
【００８１】
また、入力部材１０００には、入力部材１０００の識別情報を、管理サーバ４０００に併せて送信することとしても良い。識別情報は、例えばＭＡＣアドレスのように、予め入力部材１０００を識別する情報であっても良いし、患者情報のように、管理者が記憶させた情報であっても良い。また、指紋等の生体識別情報を利用しても良い。
【００８２】
上述した入力部材１０００を利用することにより、例えば病院等において、医療従事者が患者の生体情報を簡易に送ることが可能となる。また、例えば、図１１のような、カード状の入力部材を使うことにより、例えば患者が自らの生体情報（例えば、毎日測定している血圧値や、体重値等）を、管理サーバ４０００に送信するといった処理を行うことも可能となる。また、健康診断等のような場面では、患者が検査毎に装置にタッチすることで、簡易に管理サーバに生体情報を集約するといった利用方法も考えられる。
【００８３】
さらに、病院等の場合、医療機器の影響から携帯電話の使用が制限されている場合がある。このような場合であっても、本実施形態の入力部材のように、近距離無線通信であるＮＦＣと、異なる通信手段として無線ＬＡＮ（ＩＥＥＥ８０２．１１）とだけで入力部材を構成していることにより、気軽に利用出来るという効果が期待できる。
【００８４】
［３．第３実施形態］
つづいて、第３実施形態について、説明する。第３実施形態は、複数の生体情報取得装置２０００から複数の利用者の生体情報を受信し、管理サーバ４０００に送信する実施形態である。
【００８５】
すなわち、本実施形態では、図１０のステップＳ２０６→ステップＳ２０８；Ｎｏ→ステップＳ２０６の処理を繰り返すことにより、複数の利用者の生体情報が入力部材１０００に記憶される。
【００８６】
そして、複数の生体情報を受信し終わった後、無線ＬＡＮに接続され、管理サーバ４０００に生体情報が送信されることとなる（ステップＳ２１６）。
【００８７】
このように、本実施形態においては、生体情報を複数まとめて管理サーバ４０００に送信することが可能となる。例えば、無線中継局３０００の故障により、一部の場所においては生体情報がその都度送信できない場合や、臨時に設けられた施設（例えば、避難所等）において、生体情報取得装置２０００は置かれているが、無線中継局３０００の設備が少ない場合であっても、適切に患者や介護者といった利用者の生体情報を管理することが可能となる。
【００８８】
［４．第４実施形態］
つづいて、第４実施形態について、説明する。第４実施形態では、生体情報を取得する以外に、例えば診療情報を取得する場合の実施形態について説明する。
【００８９】
図１２は、本実施形態におけるシステム全体を説明するための図である。図１２は、図５と異なり、治療装置２５００が無線中継局３０００Ｂのある場所に設置されている。この場合、治療装置２５００からは、例えば治療情報等が入力部材１０００に送信される。治療情報が送信されることにより、診療点数が計算され、会計情報として管理サーバ４０００で利用することが可能となる。
【００９０】
例えば、耳鼻咽喉科で利用される薬液噴霧用ネブライザー装置の場合、患者が装置を利用した場合に、当該装置と通信を行うことで、正しく治療情報が送信されることとなる。また、ネブライザー装置側も、入力部材１０００から、治療情報が送受信されることにより、例えば患者が異なる薬剤を選択した場合に、警告を出力するといったことも可能である。
【００９１】
また、整形外科で利用される温熱治療器、電位治療器といったリハビリ機器の場合にも、例えば各装置から治療情報を受信し、管理サーバ４０００に送信することで、例えば治療の経過が把握できたり、診療報酬の計算が適切に出来たりといったことが可能となる。
【００９２】
また、診療前に予め生体情報取得装置２０００の情報を受信し、その後患者が移動して診療を行い、治療装置２５００を利用するといったことも考えられる。この場合、入力部材１０００を患者が所持し、各装置と近距離無線通信を行うことで、適切な生体情報が管理サーバ４０００で管理され、治療情報も管理される。
［５．変形例］
【００９３】
以上、この発明の実施形態について図面を参照して詳述してきたが、具体的な構成はこの実施形態に限られるものではなく、この発明の要旨を逸脱しない範囲の設計等も特許請求の範囲に含まれる。
【００９４】
また、上述した入力部材１０００は、無線通信部の通信方式として無線ＬＡＮを例に説明したが、無線ＬＡＮ以外の構成であってもよい。例えば、移動通信網に接続可能な通信モジュール（例えば、ＬＴＥ通信可能な通信モジュール）を実装することで、移動通信網を利用して管理サーバ４０００に接続しても良い。近距離無線通信部では、生体情報のほか、患者ＩＤ、看護師または介護士のＩＤ、薬剤のＩＤ（薬袋やパッケージに付与される）を読み取り可能としても良い。
【符号の説明】
【００９５】
１：入力部材
２：近距離通信部
３、４：無線通信部
５：病院サーバ
６：端末装置
１０：筐体
１１：読取完了表示部
１２：保存完了表示部
２０：病院サーバ
２１、２３：壁ユニット
２２，２４：入力部材
３０：壁ユニット
３１：入力部材
３２：送受信部
３３：無線通信部
３４：入力機器
３５：携帯情報端末
１０００：入力部材
２０００：生体情報取得装置
２５００：治療装置
３０００：無線中継局
４０００：管理サーバ
【図１】
0006581942.tif 000002
【図２】
0006581942.tif 000003
【図３】
0006581942.tif 000004
【図４】
0006581942.tif 000005
【図５】
0006581942.tif 000006
【図６】
0006581942.tif 000007
【図７】
0006581942.tif 000008
【図８】
0006581942.tif 000009
【図９】
0006581942.tif 000010
【図１０】
0006581942.tif 000011
【図１１】
0006581942.tif 000012
【図１２】
0006581942.tif 000013